(57)【要約】【課題】保守時に支持体が取付けられない限り規制手段による規制が解除されないようにすることができる表示装置を提供する。【解決手段】前側に表示面を有し、略直方体をなす表示部１と、該表示部１の一縁に枢支部にて前後方向への相対回動を可能に枢支されている光源３と、表示部１及び光源３の相対回動を規制する規制手段とを備え、表示部１の前記枢支部と反対側縁部を支持するための支持体１０が取付けられる取付孔１５を表示部１に設け、規制手段を、支持体１０が取付孔１５に取付けられるとき、該支持体１０に当接して前記相対回動を規制してある規制位置から規制解除位置へ移動する移動体６を有する構成とした。【選択図】図５
2010062676.tif 000002
【特許請求の範囲】
【請求項１】
前側に表示面を有する第１部材と、該第１部材の周縁の一部に枢支部にて前後方向への相対回動を可能に枢支されている第２部材と、第１部材及び第２部材の相対回動を規制する規制手段とを備え、前記第１部材及び第２部材の一方に、該一方の前記枢支部と反対側縁部を支持するための支持体が取付けられる取付部を設けてある表示装置において、前記規制手段は、前記支持体が前記取付部に取付けられるとき、該支持体に当接して前記相対回動を規制する規制位置から規制解除位置へ移動する移動体を有することを特徴とする表示装置。
【請求項２】
前記規制手段は、前記移動体を規制位置へ付勢する弾性体を有する請求項１記載の表示装置。
【請求項３】
前記取付部は下向きに開放された孔を有し、前記一方は、前記孔に連なり前記移動体を上下方向へ移動自在に収容してある収容孔を有し、前記第１部材及び第２部材の他方は前記収容孔に臨む係止部を有し、前記移動体は前記係止部に係脱する被係止部を有する請求項１又は２記載の表示装置。
【請求項４】
前記取付部は下向きに開放された孔を有し、前記第１部材及び第２部材の一方（又は他方）は前記移動体を揺動自在に支持してあり、前記他方（又は一方）は係止部を有し、前記移動体は前記係止部に係脱する被係止部を有する請求項１又は２記載の表示装置。
【発明の詳細な説明】
【技術分野】
【０００１】
本発明は液晶表示装置、プラズマ表示装置、ＬＥＤ表示装置等の表示装置に関する。
【背景技術】
【０００２】
液晶表示装置等の薄型の表示装置は、下側にスタンドを有する床置きタイプと、後側に取付けられる壁掛け金具により壁体に取付けられる壁掛けタイプと、建築時にインテリア性を考慮し、建築物の一部として壁体の貫通孔に嵌込まれる嵌込タイプとが知られている。いずれのタイプも略直方体をなし、画像を表示する表示部と、該表示部の周縁部前側を被覆する前キャビネットとを備える。
【０００３】
嵌込タイプとして、前キャビネットを壁体の貫通孔周りに固定し、該前キャビネットの一縁に表示部を枢支し、該表示部を前後方向へ回動させることを可能とした表示装置が知られている（例えば、特許文献１参照）。
【特許文献１】特開２００５−１４０８７６号公報
【発明の開示】
【発明が解決しようとする課題】
【０００４】
ところで、テレビジョン等の表示装置は、益々大型化の一途をたどっており、質量が重くなっているため、表示装置の全体を搬送して保守を行うことは困難である。因って、表示装置の保守は設置現場にて行われることになるが、特許文献１のように表示部を前後方向へ回動を可能に構成した表示装置にあっては、回動された表示部の荷重が枢支部に集中的に加わることになり、改善策が要望されていた。
【０００５】
この改善策として、前側に表示面を有する第１部材と、該第１部材の一縁に前後方向への相対回動を可能に枢支されている第２部材と、第１部材及び第２部材の相対回動を規制する規制手段とを備え、前記第１部材に、該第１部材の他縁部を支持するための支持体が取付けられる取付部を設けることが考えられる。
しかし、この表示装置にあっては、規制手段による第１部材の回動規制が保守以外のときにおいても意図せずに解除になる可能性があり、さらなる改善策が必要である。
【０００６】
本発明は斯かる事情に鑑みてなされたものであり、主たる目的は前側に表示面を有する第１部材と、該第１部材の一縁に前後方向への相対回動を可能に枢支されている第２部材と、第１部材及び第２部材の相対回動を規制する規制手段とを備え、前記規制手段を、前記支持体が前記取付部に取付けられるとき、該支持体に当接して規制位置から規制解除位置へ移動する移動体を有する構成とすることにより、保守時に支持体が取付けられない限り規制手段による規制が解除されないようにすることができる表示装置を提供することにある。
【課題を解決するための手段】
【０００７】
本発明に係る表示装置は、前側に表示面を有する第１部材と、該第１部材の周縁の一部に枢支部にて前後方向への相対回動を可能に枢支されている第２部材と、第１部材及び第２部材の相対回動を規制する規制手段とを備え、前記第１部材及び第２部材の一方に、該一方の前記枢支部と反対側縁部を支持するための支持体が取付けられる取付部を設けてある表示装置において、前記規制手段は、前記支持体が前記取付部に取付けられるとき、該支持体に当接して前記相対回動を規制する規制位置から規制解除位置へ移動する移動体を有することを特徴とする。
【０００８】
この発明にあっては、支持体が取付部に取付けられるとき、該支持体が移動体に当接し、該移動体を規制位置から規制解除位置へ移動させることができるため、保守時に第１部材の枢支部と反対側を支持体にて支持することができ、この支持状態で第１部材を移動させることができるため、枢支部に荷重が集中するのを防ぐことができる。しかも、移動体は支持体が取付けられない限り規制位置にあるため、回動規制が意図せずに解除になるのを防ぐことができる。
【０００９】
また、本発明に係る表示装置は、前記規制手段は、前記移動体を規制位置へ付勢する弾性体を有する構成とするのが好ましい。
この発明にあっては、弾性体が移動体を規制位置へ付勢しているため、表示装置に振動等の外力が加わった場合においても回動規制が解除になるのを防ぐことができる。
【００１０】
また、本発明に係る表示装置は、前記取付部は下向きに開放された孔を有し、前記一方は、前記孔に連なり前記移動体を上下方向へ移動自在に収容してある収容孔を有し、前記第１部材及び第２部材の他方は前記収容孔に臨む係止部を有し、前記移動体は前記係止部に係脱する被係止部を有する構成とするのが好ましい。
この発明にあっては、移動体が収容孔に収容され、隠蔽されているため、移動体の存在を隠すことができ、表示装置の品位を高めることができ、しかも、表示装置の外部から取付部の孔に支持体を挿入することにより回動規制を解除することができるため、回動規制の操作を殊更行う必要がなく、表示装置が設置されている設置現場にて行われる保守の作業性を高めることができる。
【００１１】
また、本発明に係る表示装置は、前記取付部は下向きに開放された孔を有し、前記第１部材及び第２部材の一方（又は他方）は前記移動体を揺動自在に支持してあり、前記他方（又は一方）は係止部を有し、前記移動体は前記係止部に係脱する被係止部を有する構成とするのが好ましい。
この発明にあっては、移動体を第１部材又は第２部材の外部から隠蔽される箇所に配することができるため、表示装置の品位を高めることができ、しかも、表示装置の外部から取付部の孔に支持体を挿入することにより回動規制を解除することができるため、回動規制の操作を殊更行う必要がなく、表示装置が設置されている設置現場にて行われる保守の作業性を高めることができる。
【発明の効果】
【００１２】
本発明によれば、保守時に第１部材の枢支部と反対側を支持体にて支持することができるため、枢支部に荷重が集中するのを防ぐことができ、しかも、移動体は支持体が取付けられない限り規制位置にあり移動しないため、回動規制が意図せずに解除になるのを防ぐことができる。
【発明を実施するための最良の形態】
【００１３】
実施の形態１
以下本発明をその実施の形態を示す図面に基づいて詳述する。図１は本発明に係る表示装置の構成を示す模式的斜視図、図２は表示装置の表示部を回動した状態を示す模式的斜視図、図３は表示装置の構成を示す横断平面図、図４は規制手段部分の構成を示す縦断側面図である。
【００１４】
図に示す表示装置は、テレビ画像を表示する表示面１ａを前側に有し、略直方体をなす表示部１と、該表示部１の後側に配され、表示部１の一側に枢支部２にて前後方向への相対回動を可能に枢支され、略直方体をなす光源３と、表示部１の周縁部及び光源３の後側を隠蔽するキャビネット４と、光源３の後面に取付けられるスタンド５とを備える液晶テレビジョン、換言すれば液晶表示装置である。
【００１５】
表示部１は、前側に表示面１ａを有する表示パネル１１と、該表示パネル１１の後側に配される光学シート１２及び該光学シート１２を支持する枠状の第１補強部材１３とを備え、該第１補強部材１３の一側が光源３の一側に枢支部２にて枢支されている。表示パネル１１の周縁部は、該表示パネル１１の前後に配される枠状の保持体１４，１４により保持されている。
【００１６】
第１補強部材１３は断面四角形をなすアルミニウム製の４本の角筒体の端部を結合することにより光学シート１２に対応する大きさの矩形枠状に形成されており、前面の内周側に、拡散板等の光学シート１２の周縁部が支持され、前面の外周側に複数のボスが突設され、該ボスに螺着される雄螺子により第１補強部材１３と保持体１４とが結合されている。
【００１７】
第１補強部材１３の他側部には下向きに開放された取付部としての取付孔１５と、該取付孔１５の上端に連なる収容孔１６と、取付孔１５から横方向へ貫通する固定用孔１７とが開設されており、収容孔１６に柱形をなす移動体６を上下へ移動自在に収容してある。
【００１８】
取付孔１５は柱形をなす支持体１０を表示部１の下側から上方へ挿入することができるように上下に適宜の長さを有し、該取付孔１５の上下方向の中間に収容孔１６が連なり、取付孔１５の上端は支持体１０の上方への移動を阻止するように形成されている。
【００１９】
収容孔１６は取付孔１５よりも小形であり、長手方向が上下となるように配され、光源３と対向する側の上下に離隔する二箇所に窓孔１６ａ，１６ａが開設されている。この収容孔１６には上下方向への移動が自在の移動体６と、該移動体６を下方へ付勢する弾性体としての付勢ばね７とが収容されている。
【００２０】
移動体６は長手方向が上下となる角柱形をなし、光源３と対向する一側に、略Ｌ時形をなす二つの被係止部６１，６１が上下に離隔して突設されており、該移動体６の上端と収容孔１６の上端との間に付勢ばね７を設けてある。尚、移動体６、付勢ばね７、被係止部６１，６１及び後記する係止部３５が、表示部１の回動を規制する規制手段を構成している。
【００２１】
光源３は、複数本が上下に離隔して並置されている円筒形をなすランプ３１と、該ランプ３１を収容支持し、深皿形をなすケース３２と、ケース３２の周縁部内側に結合され、ランプ３１を取り囲む第２補強部材３３とを有し、ケース３２の後壁に回路基板等の電気部品が取付けられている。ランプ３１は両端部に電極を有する冷陰極管又は熱陰極管であり、両端部がランプ保持部に保持され、中間部がランプクリップによりケース３２の後壁に保持されている。
【００２２】
第２補強部材３３は、断面四角形をなすアルミニウム製の４本の角筒体の端部を結合することにより矩形状に形成され、ケース３２に取付けられている。第２補強部材３３の一側と、第１補強部材１３の一側とは枢支部２により前後方向への相対回動を可能に連結され、表示部１を光源３に対して前後方向へ回動を可能にしてある。
【００２３】
第２補強部材３３の他側部には収容孔１６の窓孔１６ａ，１６ａに対応する二つの窓孔３４，３４が開設されることにより、係止部３５，３５を設けてあり、該係止部３５，３５に移動体６の被係止部６１，６１が係止されている。
【００２４】
枢支部２は軸心が上下となる蝶番構造であり、枢軸２１にて相対回動を自在に連結されている第１及び第２の連結板２２，２３を有し、第１の連結板２２が第１補強部材１３に固定され、第２の連結板２３が第２補強部材３３に固定されている。
【００２５】
キャビネット４は、表示部１の周縁部前側及び周縁部外周りを隠蔽する枠状のキャビネット前分体４１と、ケース３２の後側を隠蔽するキャビネット後分体４２とを有し、キャビネット前分体４１及びキャビネット後分体４２が個別に取外しすることができるように第１補強部材１３の周縁部に取付けられている。
【００２６】
以上のように構成された液晶テレビジョンは、表示部１の一側が光源３の一側に枢支部２にて枢支され、前後方向への回動が可能に構成されており、また、表示部１の他側と光源３の他側との間に規制手段の移動体６が設けられ、該移動体６が表示部１の回動を規制してある規制位置にあり、移動体６の被係止部６１，６１が光源３の係止部３５，３５に係止され、表示部１の前後方向への回動を規制してある。
【００２７】
図５は保守時に支持体１０が取付けられた状態を示す縦断側面図である。ランプ３１の交換等の保守が行われる場合、キャビネット４を取外した後、表示部１の枢支部２と反対側を支持するための支持体１０が表示部１の取付孔１５に取付けられる。
【００２８】
支持体１０は、下端に転動輪を有する下部材１０ａと、該下部材１０ａに上下方向への相対移動を自在に連結された柱形をなす上部材１０ｂとを有し、該上部材１０ｂの上部が表示部１の下側から取付孔１５に挿入されることにより、表示部１の枢支部２と反対側を支持することができるように構成されている。下部材１０ａと上部材１０ｂとを連結する連結手段は、例えば両端に逆方向螺子を有する連結軸１０ｃを有し、該連結軸１０ｃを回転操作することにより、下部材１０ａに対して上部材１０ｂを昇降させるように構成されている。
【００２９】
支持体１０の上部が取付孔１５に挿入されるとき、連結手段により支持体１０の長さが短縮されており、取付孔１５と対応する位置で前記連結軸１０ｃを回転操作することにより支持体１０の上部を取付孔１５に挿入することができる。支持体１０の挿入に伴い、該支持体１０の上端が移動体６の下端に当接し、該移動体６が付勢ばね７の付勢力に打ち勝って規制位置から上方へ移動し、被係止部６１，６１の係止部３５，３５との係止が解除される。この状態で固定用孔１７に固定用の雄螺子８が螺着され、該雄螺子８が支持体１０の周面を取付孔１５に押付け、支持体１０を固定することができる。因って、枢支部２を支点として表示部１を前方へ回動させることができ、表示部１及び光源３の間を大きく開放することができ、ランプ交換等の保守を容易に行うことができる。
【００３０】
保守の終了後、表示部１を後方へ回動させ、第１補強部材１３が第２補強部材３３に当接した状態で雄螺子８を弛緩し、支持体１０を取付孔１５から取外すことにより、付勢ばね７にて押圧されている移動体６が下方へ移動しつつ被係止部６１，６１が係止部３５，３５に係止され、表示部１の回動を規制することができる。
【００３１】
支持体１０の取外しは、固定用の雄螺子８を弛緩し、支持体１０の連結軸１０ｃを回転操作して上部材１０ｂを下降させることにより該上部材１０ｂを取付孔１５から抜出すことができる。
【００３２】
実施の形態２
図６は表示装置の要部の他の構成を示す模式的縦断側面図である。この表示装置は、移動体６を上下方向へ移動自在とする代わりに、移動体６ａを枢支し、支持体１０の上部が取付孔１５に挿入されたとき、移動体６ａを規制位置から規制解除位置へ揺動させるように構成したものである。
【００３３】
表示部１の第１補強部材１３の他側部には下向きに開放された取付孔１５と、該取付孔１５の中間に連なる凹所１８とが開設され、該凹所１８により凸状の係止部１９が形成されている。
【００３４】
光源３の第２補強部材３３には表示部１と対向する側へ開放された凹所３６が開設され、該凹所３６に移動体６ａの基部が枢支されている。
【００３５】
移動体６ａは枢軸６２にて枢支される基部６ｂと、該基部６ｂに連なる鈎状の被係止部６ｃと、該被係止部６ｃから先方へ延出された規制解除用当接部６ｄとを有し、基部６ｂに軸孔が開設され、該軸孔に枢軸６２が挿入されており、枢軸６２を支点として上下への揺動を可能に構成されている。規制解除用当接部６ｄは被係止部６ｃの縁から漸次薄肉に形成されており、前方へ回動されている表示部１が後方へ回動されるとき、該表示部１と一体に回動する支持体１０の上端が後記する図７の(b) に示すように当接し、移動体６ａを上方へ揺動させるように形成されている。
【００３６】
以上のように構成された液晶テレビジョンは、規制手段の移動体６ａが表示部１の回動を規制する規制位置にあり（図６参照）、移動体６ａの被係止部６ｃが表示部１の係止部１９に係止され、表示部１の前後方向への回動を規制してある。 
【００３７】
図７は保守時の規制手段部分の作動を示す説明図であり、(a) は支持体１０が取付けられた状態を示し、(b) は表示部１が後方へ回動される過程を示している。ランプ３１の交換等の保守が行われる場合、キャビネット４を取外した後、表示部１の枢支部２と反対側を支持するための支持体１０が表示部１の取付孔１５に取付けられる。
【００３８】
支持体１０の上部が取付孔１５に挿入されるとき、連結手段により支持体１０の長さが短縮されており、取付孔１５と対応する位置で前記連結軸１０ｃを回転操作することにより支持体１０の上部を取付孔１５に挿入することができる。支持体１０の挿入に伴い、該支持体１０の上端が移動体６ａの中間部に当接し、該移動体６ａが規制位置から上方へ揺動し、被係止部６ｃの係止部１９との係止が解除される（図７の(a) 参照）。この状態で固定用孔に固定用の雄螺子８が螺着され、該雄螺子８が支持体１０の周面を取付孔１５に押付け、支持体１０を固定することができる。因って、枢支部２を支点として表示部１を前方へ回動させることができ、表示部１及び光源３の間を大きく開放することができ、ランプ交換等の保守を容易に行うことができる。
【００３９】
保守の終了後、表示部１を後方へ回動させる。この回動に伴い第１補強部材１３が第２補強部材３３に接近すると、図７の(b) に示すように支持体１０の上端が移動体６ａの規制解除用当接部６ｄに当接し、移動体６ａを上方へ揺動させつつ支持体１０の上端が被係止部６ｃを乗り越え、移動体６ａが自重で下方へ揺動し、被係止部６ｃが係止部１９に係止され、表示部１の回動を規制することができる。この後、雄螺子８を弛緩することにより、支持体１０を取付孔１５から取外すことができる。
【００４０】
図８は本発明に係る表示装置の規制手段部分の他の構成を示す縦断側面図である。以上説明した実施の形態では、被係止部６１を有する移動体６を表示部１の第１補強部材１３に設け、係止部３５を光源３の第２補強部材３３に設けたが、その他、図８に示すように移動体６を第２補強部材３３に設け、係止部３５を第１補強部材１３に設ける構成としてもよい。この場合、移動体６の下端には鉛直に対して傾斜する傾斜面６０が設けられており、前方へ回動されている表示部１が後方へ回動されるとき、該表示部１と一体に回動する支持体１０の上縁が前記傾斜面６０に当接し、移動体６を上方へ移動させるように構成されている。その他の構成及び作用は実施の形態１と同様であるため、同様の部品については同じ符号を付し、その詳細な説明及び作用効果の説明を省略する。
【００４１】
図９は本発明に係る表示装置の規制手段部分の他の構成を示す模式的縦断側面図である。以上説明した実施の形態では、被係止部６ｃを有する移動体６ａを光源の第２補強部材３３に設け、係止部１９を表示部１の第１補強部材１３に設けたが、その他、図９に示すように移動体６ａを第１補強部材１３に設け、係止部１９を第２補強部材３３に設ける構成としてもよい。この場合、移動体は、支持体により上方へ揺動した状態で表示部とともに前後方向へ移動する構成となる。その他の構成及び作用は実施の形態２と同様であるため、同様の部品については同じ符号を付し、その詳細な説明及び作用効果の説明を省略する。
【００４２】
尚、以上説明した実施の形態では、表示部１が第１補強部材１３を有し、光源３が第２補強部材３３を有する構成としたが、その他、第１補強部材１３及び第２補強部材３３は必ずしも必要でない。
【００４３】
また、以上説明した実施の形態では、支持体１０が取付けられる取付部は下向きに開放された孔（取付孔１５）を有する構成としたが、その他、取付部は前方又は側方と下方とへ開放された孔とし、支持体１０を横方向から嵌め込む構成とし、この嵌め込み時に支持体１０が移動体６又は６ａに当接し、該移動体６又は６ａを規制位置から規制解除位置へ移動させるように構成してもよい。
【００４４】
また、以上説明した実施の形態では、移動体６ａを規制解除位置から規制位置へ自重で揺動させるように構成したが、その他、移動体６ａを規制位置へ付勢する付勢ばねを備える構成としてもよい。
【００４５】
また、以上説明した実施の形態では、表示部１を第１部材とし、光源３を第２部材としたが、その他、表示パネル１１の周縁部を保持体１４が保持してなるパネルモジュールと、光学シート１２の周縁部を支持体が支持してなるシートモジュールと、光源３と、キャビネット後分体４２との少なくとも二つが前後方向への相対回動を可能に枢支部により枢支された構成とし、この二つの部材の一方を第１部材とし、他方を第２部材としてもよく、第１部材及び第２部材の構成は特に制限されない。
【００４６】
また、本発明に係る表示装置は液晶テレビジョン等の表示装置である他、プラズマ表示装置、ＬＥＤ表示装置等の表示装置であってもよい。
【図面の簡単な説明】
【００４７】
【図１】本発明に係る表示装置の構成を示す模式的斜視図である。
【図２】本発明に係る表示装置の表示部を回動した状態を示す模式的斜視図である。
【図３】本発明に係る表示装置の構成を示す横断平面図である。
【図４】本発明に係る表示装置の規制手段部分の構成を示す縦断側面図である。
【図５】本発明に係る表示装置の保守時に支持体が取付けられた状態を示す縦断側面図である。
【図６】本発明に係る表示装置の要部の他の構成を示す模式的縦断側面図である。
【図７】本発明に係る表示装置の保守時の規制手段部分の作動を示す説明図であり、(a) は支持体が取付けられた状態を示し、(b) は表示部が後方へ回動される過程を示している。
【図８】本発明に係る表示装置の規制手段部分の他の構成を示す縦断側面図である。
【図９】本発明に係る表示装置の規制手段部分の他の構成を示す模式的縦断側面図である。
【符号の説明】
【００４８】
１    表示部（第１部材）
１ａ  表示面
１５  取付孔（取付部）
１６  収容孔
２    枢支部
３    光源（第２部材）
３５，１９  係止部
６，６ａ    移動体
６１，６ｃ  被係止部
７    付勢ばね（弾性体）
１０  支持体
【図１】
2010062676.tif 000003
【図２】
2010062676.tif 000004
【図３】
2010062676.tif 000005
【図４】
2010062676.tif 000006
【図５】
2010062676.tif 000007
【図６】
2010062676.tif 000008
【図７】
2010062676.tif 000009
【図８】
2010062676.tif 000010
【図９】
2010062676.tif 000011